(57)【特許請求の範囲】
【請求項１】
上端に接近端が設けられ、下端に離れ端が設けられる、軸方向（Ｘ）に沿って伸びるメインステッキと、
前記メインステッキ上に、且つ接近端に対して接近位置と離間位置の間で摺動可能に設置される摺動部材と、
前記メインステッキに設置される受動部材と、
一端に摺動部材と枢設する枢接端が設けられ、他端に自由端が設けられる、方向（Ｌ）に沿って伸びる中間板と、該中間板の相対する両側縁部にそれぞれ取り付けられる２枚の側板とを備えると共に、該摺動部材が離間位置から接近位置へ移動する時、該中間板が側板と同一平面となる展開状態から中間板がそれぞれの側板と所定の角度を形成しながら折畳まれて収納状態となる、着座ユニットと、
それぞれ、方向（Ｌ）に沿って伸びるように、側板の底面に取り付けられ、一端に遠い端が設けられると共に、他端に近い端が設けられる２つのレールと、
それぞれ、当接端及び押上端を備え、該当接端が受動部材に枢設されると共に、該押上端が摺動可能且つ回転可能にレールに取り付けられ、該押上端がレールの遠い端から近い端へ摺動すると、前記着座ユニットが展開状態から収納状態となる、２つの押上棒と、
それぞれ、地につけて支持するための底端、及び支え端を備え、該支え端が受動部材に枢設されると共に、前記摺動部材が離間位置から接近位置へ摺動すると、該底端がメインステッキと離れた支持位置から該メインステッキと接近した収納位置へ移動する、２本の脚部材と、を有することを特徴とするステッキチェア。
【請求項２】
前記受動部材は、摺動可能に該メインステッキに設置され、且つ、該メインステッキの上側位置と下側位置の間で摺動することを特徴とする請求項１に記載のステッキチェア。
【請求項３】
前記受動部材は、摺動不能にメインステッキに固定されることを特徴とする請求項１に記載のステッキチェア。
【請求項４】
一端に前記摺動部材に枢設される上枢設端を有すると共に、他端に前記押上棒の当接端と押上端との間に枢設される下枢設端を有する、２本の支持棒を有することにより、該押上棒の押上端をスムーズにレールの遠い端と近い端との間で摺動させることを特徴とする請求項１または２に記載のステッキチェア。
【請求項５】
前記受動部材を離れ端へ移動しないように、下側位置に保持する第二保持部材を有することを特徴とする請求項４に記載のステッキチェア。
【請求項６】
それぞれ、摺動座及び回動座を備え、該摺動座が、摺動可能かつ回転可能にレールに嵌め込まれ、該回動座の一端が枢転軸を中心として回転可能に摺動座に枢設されると共に、他端が押上棒の押上端に枢設される、２つのジョイントを有することを特徴とする請求項１乃至５の何れか１項に記載のステッキチェア。
【請求項７】
前記摺動座は、ロッドと、ベースと、ヘッドと、押しばねとを備え、その内、該ベースに挿設穴が形成され、該ロッドは、軸方向（Ａ）に沿って伸びるように挿設穴に嵌め込まれ、その一端に接着端が、他端に自由端が設けられ、該ベースは、軸方向（Ａ）と垂直になるように設置され、該軸方向（Ａ）を中心として回転可能であり、該ヘッドは、ロッドに設けられ、該押しばねは、ベースとヘッドとの間に位置するように、ロッドに環装され、これにより、ヘッドをレール側に押圧することを特徴とする請求項６に記載のステッキチェア。
【請求項８】
前記脚部材は、上段部及び下段部を有し、該上段部は下段部に枢設され、該上段部及び下段部は、該脚部材が支持位置に位置する時に、一直線となるように枢転し、該脚部材が収納位置に位置する時、上段部及び下段部が重なるように枢転することを特徴とする請求項１乃至７の何れか１項に記載のステッキチェア。
【請求項９】
前記摺動部材を受動部材側へ引っ張るための第三引き部材を有し、
該摺動部材を手動で、第三引き部材の引っ張り力に抵抗するように、メインステッキに沿って接近位置に引き上げ、受動部材を上側位置に保持すると共に、摺動部材を接近位置に移動させて第三保持部材により接近位置に保持すると、着座ユニットが展開状態から収納状態になることを特徴とする請求項１、２、４乃至８の何れか１項に記載のステッキチェア。
【請求項１０】
前記遠い端は中間板の縁部から離れた位置に設けられ、前記近い端は該中間板の縁部と接近した位置に設けられ、これにより、前記着座ユニットをスムーズに展開状態から収納状態にすることを特徴とする請求項１、２、４乃至８の何れか１項に記載のステッキチェア。
【請求項１１】
前記着座ユニットを収納状態から展開状態にするために、中間板の枢接端と接近する箇所にサブバネが取り付けられることを特徴とする請求項１乃至１０の何れか１項に記載のステッキチェア。
【請求項１２】
軸方向（Ｘ）に沿って延びるメインステッキに組み合わせて用いられるメインステッキの着座装置であって、
前記メインステッキの上端に設けられた接近端に対して接近位置と離間位置の間で前記メインステッキ上で摺動可能に設置された摺動部材と枢設する枢接端が一端に設けられ、他端に自由端が設けられる、方向（Ｌ）に沿って伸びる中間板と、蝶番構造により該中間板の相対する両側縁部に、該中間板と並列するようにそれぞれ取り付けられる２枚の側板とを備えると共に、該中間板が２枚の側板と同一平面となる展開状態から中間板がそれぞれの側板と所定の角度を形成しながら収納状態となる、着座ユニットと、
それぞれ、方向（Ｌ）に沿って伸びるように、側板の底面に取り付けられ、一端に遠い端が設けられると共に、他端に近い端が設けられる２つのレールと、
それぞれ、当接端及び押上端を備え、前記メインステッキに設置された受動部材に該当接端が連結されると共に、該押上端が摺動可能にレールに取り付けられ、該押上端がレールの遠い端から近い端へ摺動すると、前記着座ユニットが展開状態から収納状態となる、２つの押上棒と、を有することを特徴とするステッキチェアの着座装置。
【請求項１３】
一端に前記摺動部材に枢設される上枢設端を有すると共に、他端に前記押上棒の当接端と押上端との間に枢設される下枢設端を有する、２本の支持棒を有することにより、該押上棒の押上端をスムーズにレールの遠い端と近い端の間に摺動させることを特徴とする請求項１２に記載のステッキチェアの着座装置。
【請求項１４】
それぞれ、摺動座及び回動座を備え、該摺動座が、摺動可能かつ回転可能にレールに嵌め込まれ、該回動座の一端が枢転軸を中心として回転可能に摺動座に枢設されると共に、他端が押上棒の押上端に枢設される、２つのジョイントを有することを特徴とする請求項１３に記載のステッキチェアの着座装置。
【請求項１５】
前記着座ユニットを収納状態から展開状態にするために、中間板の枢接端と接近する箇所にサブバネが取り付けられることを特徴とする請求項１３または１４に記載のステッキチェアの着座装置。
【発明の詳細な説明】
【技術分野】
【０００１】
本発明は、特にステッキチェアに関するものである。
【背景技術】
【０００２】
既存の技術においては、米国特許第２３８０４３７号においてステッキチェアが記載されているが、この折畳み椅子を折畳んで収納する時は、脚などの部材がピッタリと組み合わせられないことから、多くの部材の間に隙間が生じて一部の部材が露出し、不注意により指を挟んでしまうなどの怪我をしてしまう虞もあった。
また、米国特許第３９９９５６５号には、伸縮可能な杖が記載されており、この構成によれば、膝や足の障害がある場合、杖を伸縮可能に調整して下肢を支えられるが、この杖を収納する時にも多くの部材の間に隙間が生じて、不注意により指を挟んでしまう虞もあった。
【先行技術文献】
【特許文献】
【０００３】
【特許文献１】米国特許第２３８０４３７号
【特許文献２】米国特許第３９９９５６５号
【発明の概要】
【発明が解決しようとする課題】
【０００４】
既存のステッキチェアまたは伸縮可能な杖を折畳んで収納する時は、一部の部材を完全に組み合わせることができないことから、指を挟んでしまうなどの怪我をしてしまう虞があるので、折畳み構造を改良する必要があった。
【課題を解決するための手段】
【０００５】
本発明に係るステッキチェアは、
上端に接近端が設けられ、下端に離れ端が設けられる、軸方向Ｘに沿って伸びるメインステッキと、
前記メインステッキに、且つ接近端に対して接近位置と離間位置の間に摺動可能に設置される摺動部材と、
前記メインステッキに設置される受動部材と、
一端に摺動部材と枢設する枢接端が設けられ、他端に自由端が設けられる、方向Ｌに沿って伸びる中間板と、該中間板の相対する両側縁部にそれぞれ取り付けられる２枚の側板とを備えると共に、該摺動部材が離間位置から接近位置へ移動する時、該中間板が側板と同一平面となる展開状態から中間板がそれぞれの側板と所定の角度を形成しながら折畳まれて収納状態となる、着座ユニットと、
それぞれ、方向Ｌに沿って伸びるように、側板の底面に取り付けられ、一端に遠い端が設けられると共に、他端に近い端が設けられる２つのレールと、
それぞれ、当接端及び押上端を備え、該当接端が受動部材に枢設されると共に、該押上端が摺動可能且つ回転可能にレールに取り付けられ、該押上端がレールの遠い端から近い端へ摺動すると、前記着座ユニットが展開状態から収納状態となる、２つの押上棒と、
それぞれ、地につけて支持するための底端、及び支え端を備え、該支え端が受動部材に枢設されると共に、前記摺動部材が離間位置から接近位置へ摺動すると、該底端がメインステッキと離れた支持位置から該メインステッキと接近した収納位置へ移動する、２本の脚部材と、を有するものである。
【発明の効果】
【０００６】
上述した構造によれば、その着座ユニットを収納状態から展開状態にすると、椅子として用いることができ、一方、その着座ユニットを展開状態から収納状態にすれば、杖として使用者の体を支えることができ、必要に応じて使い道を自由に変更できるので、実用性に優れている。
【０００７】
さらに、その着座ユニットを収納状態にすると、それらの押上棒及び支持棒が中間板とメインステッキとの間に収納されることから、それらの押上棒及び支持棒が外部に露出することがなく、指を挟んでしまうなどの危険はない。また、脚部材を折畳んで収納する時にも、着座ユニットの中間板と反対する側の隙間にピッタリと収納することができ、他の部材に完全に組み合わせられるので、使用者が怪我をすることはない。
【図面の簡単な説明】
【０００８】
【図１】本発明に係るステッキチェアの第一実施例における着座ユニットの展開状態を示す斜視図である。
【図２】本発明に係るステッキチェアの第一実施例における着座ユニットの収納状態を示す斜視図である。
【図３】本発明に係るステッキチェアの第一実施例において、一部の部材を省略する、部分拡大斜視図である。
【図４】本発明に係るステッキチェアの第一実施例において、一部の部材を省略する、部分拡大斜視図である。
【図５】本発明に係るステッキチェアの第一実施例において、一部の部材を省略する、下面視部分斜視図である。
【図６】本発明に係るステッキチェアの第一実施例における側面視斜視図である。
【図７】本発明に係るステッキチェアの第一実施例において、着座ユニットが展開状態から収納状態へ移行する操作状態を示す側面視斜視図である。
【図８】本発明に係るステッキチェアの第一実施例における着座ユニットの中間板及び側板を示す部分拡大斜視図である。
【図９】本発明に係るステッキチェアの第一実施例における受動部材の底面視拡大斜視図である。
【図１０】本発明に係るステッキチェアの第一実施例におけるジョイント及びレールを示す部分拡大断面図である。
【図１１】本発明に係るステッキチェアの第一実施例において、ジョイントが回転可能にレール上を摺動する状態を示す底面視斜視図である。
【図１２】本発明に係るステッキチェアの第二実施例において、着座ユニットが展開状態から収納状態へ移行する操作状態を示す側面図である。
【図１３】本発明に係るステッキチェアの第三実施例におけるジョイント及びレールを示す部分拡大断面図である。
【図１４】本発明に係るステッキチェアの第四実施例におけるサブバネを示す部分拡大分解斜視図である。
【図１５】本発明に係るステッキチェアの第一実施例の他のタイプにおける側面視斜視図である。
【図１６】本発明に係るステッキチェアの第一実施例において、ロック部材を操作する状態を示す部分拡大斜視図である。
【図１７】図１６の拡大断面図である。
【図１８】本発明に係るステッキチェアの第一実施例の他のタイプにおける側面視斜視図である。
【発明を実施するための形態】
【０００９】
図１乃至図７に示すように、本発明に係るステッキチェアの第一実施例は、ステッキユニット１と、折畳みユニット２と、着座ユニット３と、第一保持部材１３と、第二保持部材１４を有し、その内、ステッキユニット１は、メインステッキ１１と、グリップ１１２と、２本の脚部材１２を備え、該折畳みユニット２は、摺動部材２２と、受動部材２１と、２つのレール３３と、２つの押上棒２３を備える。
【００１０】
前記メインステッキ１１は、軸方向Ｘに沿って伸び、上端に接近端１１３が設けられると共に、下端に離れ端１１４が設けられ、前記グリップ１１２は、メインステッキ１１の接近端１１３に取り付けられる。
【００１１】
前記摺動部材２２は、メインステッキ１１上で摺動可能に、且つ接近端１１３に対して接近位置と離間位置との間に設置されると共に、前記受動部材２１は、メインステッキ１１上で摺動可能に、且つ上側位置と下側位置との間に設置される。この構成によれば、摺動部材２２が接近位置に移動すると、受動部材２１は上側位置に位置し、一方、その摺動部材２２が離間位置に移動すると、受動部材２１は下側位置に位置する。
一方、その受動部材２１は、摺動不能にメインステッキ１１に固定されてもよい（図１５の如く）。
【００１２】
前記着座ユニット３は、中間板３１及び２枚の側板３２を備え、該中間板３１は、方向Ｌに沿って伸び、一端に枢接端３１１が設けられると共に、他端に自由端３１２が設けられ、該枢接端３１１は、摺動部材２２に枢設される。一方、各側板３２は、蝶番構造により中間板３１の相対する両側縁部３１３に取り付けられる。
この構成によれば、摺動部材２２が離間位置から接近位置へ移動すると、着座ユニット３が展開状態から収納状態に移行する。また、展開状態とは、着座ユニット３の中間板３１が側板３２と同一平面となるように平坦状となり、椅子として使用できる状態のことを指し（図１、図５、図６の如く）、収納状態とは、着座ユニット３の中間板３１がそれぞれの側板３２と所定の角度を形成しながら折畳まれて収納状態となり、杖とすることができる（図２及び図４の如く）。
【００１３】
前記レール３３は、方向Ｌに沿って伸びるように、側板３２の底面に取り付けられ、一端に遠い端３３１が縁部３１３と離れるように設けられると共に、他端に近い端３３２が縁部３１３と接近するように設けられ、この構成によれば、着座ユニット３をスムーズに展開状態から収納状態に移行させることができる。
【００１４】
前記押上棒２３の一端はそれぞれ、当接端２３１を介して受動部材２１に枢設されると共に、他端はそれぞれ押上端２３２を介して摺動可能且つ回転可能にレール３３に取り付けられ、この構成によれば、該押上端２３２がレール３３の遠い端３３１から近い端３３２へ摺動すると、着座ユニット３が展開状態から収納状態へ移行する。
【００１５】
前記脚部材１２は、底端１２４及び支え端１２５を備え、該底端１２４は床や地面と接触し、該支え端１２５は受動部材２１に枢設される。その構造によれば、該脚部材１２を折畳んで支持位置から収納位置に移行させることができる。すなわち、その摺動部材２２を離間位置から接近位置へ移動させると、脚部材１２が支持位置から収納位置へ移行する。該支持位置とは、底端１２４がメインステッキ１１から離れて地につく位置であり（図１及び図６の如く）、該収納位置とは、底端１２４がメインステッキ１１と接近して折畳んだ位置である（図２及び図４の如く）。
【００１６】
図１乃至図６に示すように、本発明の杖は椅子として使用することができ、その着座ユニット３が展開状態の時は、押上棒２３及び脚部材１２がメインステッキ１１の反対側に収納される。
【００１７】
第一実施例においては、脚部材１２が上段部１２１及び下段部１２２を含み、該上段部１２１が下段部１２２に枢設され、該上段部１２１の上端における支え端１２５が受動部材２１に枢設され、該下段部１２２の下端に床または地面につくための底端１２４が設けられる。
その脚部材１２を支持位置に位置させると、上段部１２１及び下段部１２２が一直線となるように枢転し、該脚部材１２を収納位置に位置させると、上段部１２１及び下段部１２２が重なるように枢転する。
【００１８】
前記第一保持部材１３は、摺動部材２２を離れ端１１４へ移動しないように離間位置に保持させ、前記第二保持部材１４は、受動部材２１を離れ端１１４へ移動しないように下側位置に保持させることができる。
その受動部材２１は、第二保持部材１４に当接されることによって、下側位置に保持してもよい。
一方、図１８に示すように、前記受動部材２１に当接ロッド２１６が延設されてもよく、その受動部材２１が当接ロッド２１６を介して第二保持部材１４に当接することによって、該受動部材２１からの圧力を減少しながら分散することができる。
尚、そのメインステッキ１１には第三保持部材２８が取り付けられることが好ましく、該第三保持部材２８を有する場合、摺動部材２２を停止させて離れ端１１４への移動を阻止し、摺動部材２２を接近位置に保持することができる。
【００１９】
図１及び図６に示すように、さらに第一引き部材２７及び第二引き部材２６を有し、通常の状態においては、該第一引き部材２７が摺動部材２２を第一保持部材１３側に引っ張り、該第二引き部材２６が受動部材２１を第二保持部材１４側に引っ張る。第一引き部材２７の引っ張り力、第二引き部材２６の引っ張り力、摺動部材２２及び受動部材２１の重力に抵抗するように、摺動部材２２を手動でメインステッキ１１に沿って上方へ引き上げると、着座ユニット３が展開状態から収納状態へ移行すると共に、摺動部材２２が接近位置に移動して第三保持部材２８によりそこに位置決めされ、受動部材２１も上側位置に移動する。
【００２０】
前記メインステッキ１１に長手方向に沿ってスリット１１１が形成され、前記第一引き部材２７は、一端が摺動部材２２に取り付けられると共に、他端がスリット１１１における第一保持部材１３と第二保持部材１４との間に接着されるように、スリット１１１に嵌め込まれる。
また、前記第二引き部材２６は、一端が受動部材２１に取り付けられると共に、他端がスリット１１１における第二保持部材１４と離れ端１１４の間に接着されるように、スリット１１１に嵌め込まれる。
尚、第一実施例においては、メインステッキ１１に４本のスリット１１１がそれぞれ所定の角度で形成され、該各スリット１１１にそれぞれ第一引き部材２７及び第二引き部材２６が設置されることが好ましい。
【００２１】
図１に示すように、着座ユニット３を展開状態にする時は、その摺動部材２２が離間位置に位置し、受動部材２１が下側位置に位置し、押上棒２３の押上端２３２がレール３３の遠い端３３１に位置し、脚部材１２が支持位置に位置する。
一方、図２及び図４に示すように、着座ユニット３を収納状態にして杖とする時は、その摺動部材２２が接近位置に位置し、受動部材２１が上側位置に位置し、押上棒２３の押上端２３２がレール３３の近い端３３２に位置し、脚部材１２が収納位置に位置する。
【００２２】
さらに、図１、図２、図１６、図１７に示すように、前記摺動部材２２に脱着可能に第三保持部材２８に係合するロック部材４０が設置され、該ロック部材４０を有すれば、摺動部材２２が接近位置に摺動する時に、摺動部材２２がロック部材４０を介して第三保持部材２８に係合して接近位置に保持することができる。
また、前記第三保持部材２８は、メインステッキ１１における接近端１１３の近傍に形成された係合口である。前記ロック部材４０は、摺動部材２２に結合されると共に、回転可能にメインステッキ１１に環設され、係合突出部４２を備え、該係合突出部４２による脱着可能に摺動部材２２に係合される。即ち、摺動部材２２が接近位置に摺動する時に、ロック部材４０を回転して係合突出部４２によって第三保持部材２８に係合すると、摺動部材２２を接近位置に位置決めして保持することができる。
一方、摺動部材２２を接近位置から解放する時は、そのロック部材４０を回転して第三保持部材２８から脱出させればよい。
【００２３】
図１に示すように、本発明に係るステッキチェアの第一実施例は、さらに２本の支持棒２４及び２本の補助棒１２３を有し、該支持棒２４における、一端に摺動部材２２に枢設される上枢設端２４１を有すると共に、他端に押上棒２３の当接端２３１と押上端２３２との間に枢設される下枢設端２４２を有する。これにより、押上棒２３の押上端２３２を遠い端３３１と近い端３３２との間においてスムーズに摺動させる。なお、その下枢設端２４２と当接端２３１との距離は、下枢設端２４２と押上端２３２との距離より短い。
また、前記補助棒１２３における、一端に摺動部材２２に枢設される上組立端１２６を有すると共に、他端に支え端１２５に枢設される下組立端１２７を有する。この構造によれば、脚部材１２をスムーズに支持位置から収納位置へ移動させることができる。
【００２４】
図２及び図４に示すように、着座ユニット３を収納状態にする時は、それらの側板３２をそれぞれ、メインステッキ１１に対して所定の角度となるように中間板３１に組み合わせ、また、その収納状態においては、それらの側板３２の間かつ中間板３１の反対側に隙間３０が形成され、脚部材１２を折畳んで収納位置にすると、該脚部材１２が隙間３０に収納される。更に、着座ユニット３を収納状態にする時も、それらの押上棒２３及び支持棒２４が中間板３１とメインステッキ１１との間に収納される。
つまり、本発明に係るステッキチェアにおいて、椅子として使用している着座ユニット３を折畳んで杖として使用する場合であっても、それらの部材はそれぞれ収納されることから、指を挟むなどの危険性はない。
【００２５】
図８に示すように、第一実施例においては、中間板３１の両側縁部にそれぞれ、円弧状の接着縁部３１４が設けられ、その側板３２における中間板３１側の縁部に、円弧状の接着縁部３２１が設けられる（図８には中間板３１の一部及び１枚の側板３２を示した）。
この構成によれば、使用者が着座ユニット３を展開状態にして椅子として用いる時、中間板３１と側板３２との間に隙間が生じないようにピッタリと密着することから、使用者の衣服を挟むという問題はなく、指を挟む心配もない。
【００２６】
さらに、図８、図１０、図１１に示すように、本発明に係るステッキチェアの第一実施例は、２つのジョイント２５を有し、該ジョイント２５は、摺動座２５１及び回動座２５２を備え、該摺動座２５１は、摺動可能かつ回転可能にレール３３に嵌め込まれ、該回動座２５２は、一端が枢転軸を中心として回転可能に摺動座２５１に枢設され、他端が押上棒２３の押上端２３２に枢設される。なお、その枢転軸は、図１０において矢印２５９で囲まれた部分である。
【００２７】
前記摺動座２５１は、ロッド２５３と、ベース２５４と、ヘッド２５６を備え、該ベース２５４に挿設穴２５５が形成され、該ロッド２５３は、軸方向Ａ側に沿って伸びるように挿設穴２５５に嵌め込まれ、その一端に接着端２５７が、他端に自由端２５８が設けられ、該ベース２５４は、軸方向Ａと垂直になるようにロッド２５３に環装され、軸方向Ａを中心として回転可能であり、該ヘッド２５６は、ロッド２５３の接着端２５７に設けられ、且つ摺動可能にレール３３に嵌め込まれる。
【００２８】
図１及び図９に示すように、前記受動部材２１はハブ２１０を含み、該ハブ２１０は、内周面２１２を介して摺動可能にメインステッキ１１に設置され、受動部材２１の径方向における内周面２１２と反対する外側に外周面２１３が設けられ、該外周面２１３に押上棒２３及び脚部材１２がそれぞれ枢設される。
前記第二保持部材１４の直径は、第一保持部材１３の直径より長く、前記受動部材２１の内周面２１２に通過溝２１４が形成され、第一保持部材１３は通過溝２１４を介して受動部材２１を通過することができ、また、内周面２１２に当接凹部２１１が凹設され、受動部材２１が下側位置に位置する時に、その第二保持部材１４が当接凹部２１１に当接する。
【００２９】
図１２に示すように、本発明に係るステッキチェアの第二実施例は、殆ど第一実施例と同一であるが、第一引き部材２７及び第二引き部材２６を有しないと共に、止め部材１５及び第三引き部材２９を備える点において異なる。即ち、前記止め部材１５は、受動部材２１を上側位置に保持するために、メインステッキ１１に設置され、該第三引き部材２９がメインステッキ１１に取り付けられることにより、摺動部材２２を受動部材２１側に引っ張る。
また、第三引き部材２９の引っ張り力、受動部材２１及び摺動部材２２の重力に抵抗するように、摺動部材２２を手動でメインステッキ１１に沿って接近位置に引き上げ、止め部材１５により受動部材２１を上側位置に保持すると共に、摺動部材２２を接近位置に移動させて第三保持部材２８により接近位置に保持すると、着座ユニット３を展開状態から収納状態に移動させることができる。なお、本実施例における第三引き部材２９は、摺動部材２２を受動部材２１側に引っ張るように、受動部材２１と摺動部材２２との間に装着される。
【００３０】
図１３に示すように、本発明に係るステッキチェアの第三実施例は、殆ど第一実施例と同一であるが、ジョイント２５の構造において異なり、即ち、該摺動座２５１はさらに押しばね２５０を備え、該押しばね２５０は、ベース２５４とヘッド２５６との間に位置するように、ロッド２５３に環装され、該押しばね２５０によりヘッド２５６をレール３３へ押圧する。そのため、着座ユニット３を収納状態とする時、押しばね２５０によりヘッド２５６がレール３３へ押圧されながらレール３３に沿って摺動することから、ジョイント２５のヘッド２５６が揺動することはなく、穏やかに且つスムーズにレール３３に沿って摺動することができる。
【００３１】
図１４に示すように、本発明に係るステッキチェアの第四実施例は、殆ど第一実施例と同一であるが、さらにサブバネ３５を有する点において異なり、即ち、該サブバネ３５は、中間板３１の枢接端３１１と接近するように、摺動部材２２と着座ユニット３の中間板３１との間に取り付けられ、該サブバネ３５は、着座ユニット３を収納状態から展開状態に移行させるための一部の力を提供できる。
【符号の説明】
【００３２】
１      スタンドユニット
１１    メインステッキ
１１１  スリット
１１２  グリップ
１１３  接近端
１１４  離れ端
１２    脚部材
１２１  上段部
１２２  下段部
１２３  補助棒
１２４  底端
１２５  支え端
１２６  上組立端
１２７  下組立端
１３    第一保持部材
１４    第二保持部材
１５    止め部材
２      折畳みユニット
２１    受動部材
２１０  ハブ
２１１  当接凹部
２１２  内周面
２１３  外周面
２１４  通過溝
２２    摺動部材
２１６  当接ロッド
２３    押上棒
２３１  当接端
２３２  押上端
２４    支持棒
２４１  枢設端
２４２  下枢設端
２５    ジョイント
２５０  押しばね
２５１  摺動座
２５２  回動座
２５３  ロッド
２５４  ベース
２５５  挿設穴
２５６  ヘッド
２５７  接着端
２５８  自由端
２５９  矢印
２６    第二引き部材
２７    第一引き部材
２８    第三保持部材
２８０  ばね
２９    第三引き部材
３      着座ユニット
３１    中間板
３１１  枢接端
３１２  自由端
３１３  縁部
３１４  接着縁部
３２    側板
３２１  接着縁部
３３    レール
３３１  遠い端
３３２  近い端
３５    サブバネ
４０    ロック部材
４２    係合突出部 
【図１】
0005869647.tif 000002
【図２】
0005869647.tif 000003
【図３】
0005869647.tif 000004
【図４】
0005869647.tif 000005
【図５】
0005869647.tif 000006
【図６】
0005869647.tif 000007
【図７】
0005869647.tif 000008
【図８】
0005869647.tif 000009
【図９】
0005869647.tif 000010
【図１０】
0005869647.tif 000011
【図１１】
0005869647.tif 000012
【図１２】
0005869647.tif 000013
【図１３】
0005869647.tif 000014
【図１４】
0005869647.tif 000015
【図１５】
0005869647.tif 000016
【図１６】
0005869647.tif 000017
【図１７】
0005869647.tif 000018
【図１８】
0005869647.tif 000019